(57)【要約】【課題】本発明は上記事実を考慮し、外壁目地を二次止水する防水部材の止水性能を向上させることができる外壁目地の防水構造と、防水部材の施工方法を得る。【解決手段】外壁目地４４屋外側では、外壁パネル３８と外壁パネル３８を支持するフレーム５０との間にシート状の防水シート６６が配置され、外壁目地４４を二次止水している。また、外壁目地４４の内側で防水シート６６を貫通するタッピングビス６２のビス頭６２Ａの屋外側には板状のビス頭防水部材６８が配置されている。ここで、ビス頭防水部材６８を組み付けた後の状態では、中央に凹部７６が形成され、この凹部７６の内側に配置された弾性部材７２によってビス頭６２Ａが被覆されている。【選択図】図１
2020084646.tif 000002
【特許請求の範囲】
【請求項１】
外壁パネルと該外壁パネルを支持するフレームとの間に配置され、隣接する外壁パネルとの間に形成される外壁目地を二次止水するシート状の第１防水部材と、
前記外壁目地の内側で、前記第１防水部材を貫通して前記フレームを建物躯体に固定する固定ビスと、
板状をなし前記固定ビスのビス頭より屋外側に配置され、組み付け後の状態で中央に形成された凹部の内側に前記ビス頭を被覆する弾性部材が配置され、かつ、両端部が前記ビス頭の両側で前記第１防水部材と前記外壁パネルとの隙間に挿入された第２防水部材と、
を有する外壁目地の防水構造。
【請求項２】
前記第１防水部材は弾性体で形成されており、
前記第１防水部材と前記第２防水部材の前記凹部の内側でかつ前記ビス頭の周囲に配置された弾性部材との間で互いに弾性復元力が作用している、
請求項１に記載の外壁目地の防水構造。
【請求項３】
前記第２防水部材は、
矩形板状に形成され、組み付け後の状態で中央に前記凹部が形成された金属製の本体部と、
前記本体部の屋内側に配置されると共に、前記本体部と同一形状に形成され、中央が前記本体部の前記凹部に接着され、両端部が弾性変形されることで前記凹部の内側に略収容された前記弾性部材と、
を備える請求項１又は請求項２に記載の外壁目地の防水構造。
【請求項４】
請求項１〜請求項３のいずれか１項に記載された外壁目地の防水構造に適用される防水部材の施工方法であって、
前記第２防水部材における前記外壁目地の延在方向と略直交する方向の一方側の端部が前記外壁目地を構成する一方の前記外壁パネルと前記ビス頭との隙間を通って前記第１防水部材と一方の前記外壁パネルとの隙間に挿入される第１工程と、
前記第２防水部材における前記外壁目地の延在方向と略直交する方向の他方側の端部が前記外壁目地を構成する他方の前記外壁パネルと前記ビス頭との隙間を通って前記第１防水部材と他方の前記外壁パネルとの隙間に挿入される第２工程と、
を含む防水部材の施工方法。
【請求項５】
前記第１工程及び前記第２工程により、前記第２防水部材における前記外壁目地の延在方向と略直交する方向の両端部が前記外壁パネルと前記第１防水部材との間に挿入され、該第２防水部材の屋内側面に配設された前記弾性部材における前記外壁目地の延在方向と略直交する方向の両端部が前記外壁パネルと前記第１防水部材との間に挿入されずに前記第１防水部材との間に発生する摩擦力により弾性変形され、前記第２防水部材の前記凹部の内側へ略収容されることを特徴とする、
を特徴とする請求項４に記載の防水部材の施工方法。
【発明の詳細な説明】
【技術分野】
【０００１】
本発明は、外壁目地の防水構造及び防水部材の施工方法に関する。
【背景技術】
【０００２】
特許文献１には、建物の外壁目地からの浸水を防ぐために、外壁目地の屋外側に一次止水材が配設され、一次止水材の屋内側に二次止水材が配設された構成が開示されている。この二次止水材は、シート状に形成されて、外壁を支持するフレームと建物の躯体（柱）との間に配設されている。また、この先行技術では、フレームと建物の躯体（柱）とを固定する固定部材（木ネジ）が、二次防水材とフレームを貫通して、建物の躯体に打ち込まれている。
【先行技術文献】
【特許文献】
【０００３】
【特許文献１】特開２００４−１０８０４８号公報
【０００４】
しかしながら、上記先行技術では、固定部材が二次防水部材を貫通しているため、二次防水部材に固定部材を貫通させる下穴が形成されることになる。このため、二次防水部材の経年劣化などの理由で下穴から浸水する可能性があり、改善の余地がある。
【発明の概要】
【発明が解決しようとする課題】
【０００５】
本発明は上記事実を考慮し、外壁目地を二次止水する防水部材の止水性能を向上させることができる外壁目地の防水構造と、防水部材の施工方法を得ることが目的である。
【課題を解決するための手段】
【０００６】
第１の態様に係る外壁目地の防水構造は、外壁パネルと該外壁パネルを支持するフレームとの間に配置され、隣接する外壁パネルとの間に形成される外壁目地を二次止水するシート状の第１防水部材と、前記外壁目地の内側で、前記第１防水部材を貫通して前記フレームを建物躯体に固定する固定ビスと、板状をなし前記固定ビスのビス頭より屋外側に配置され、組み付け後の状態で中央に形成された凹部の内側に前記ビス頭を被覆する弾性部材が配置され、かつ、両端部が前記ビス頭の両側で前記第１防水部材と前記外壁パネルとの隙間に挿入された第２防水部材と、を有している。
【０００７】
第１の態様に係る外壁目地の防水構造では、外壁パネルと外壁パネルを支持するフレームとの間にシート状の第１防水部材が配置され、外壁目地を二次止水している。また、外壁目地の内側で第１防水部材を貫通する固定ビスのビス頭の屋外側には板状の第２防水部材が配置されている。ここで、組み付け後の状態では、第２防水部材の中央には凹部が形成され、かつ、両端部がビス頭の両側で第１防水部材と外壁パネルとの隙間に挿入されている。この凹部の内側では、弾性部材によってビス頭が被覆されている。これにより、ビス頭と第１防水部材の貫通孔との間が弾性部材によって止水され、第１防水部材の止水性能が向上される。
【０００８】
第２の態様に係る外壁目地の防水構造は、前記第１防水部材は弾性体で形成されており、前記第１防水部材と前記第２防水部材の前記凹部の内側でかつ前記ビス頭の周囲に配置された弾性部材との間で互いに弾性復元力が作用している。
【０００９】
第２の態様に係る外壁目地の防水構造では、弾性体により形成された第１防水部材と第２防水部材の弾性部材との間に弾性復元力が作用するため、第１防水部材と弾性部材との接触面が一層密になる。これにより、第１防水部材の止水性能が一層向上される。
【００１０】
第３の態様に係る外壁目地の防水構造は、前記第２防水部材は、矩形板状に形成され、組み付け後の状態で中央に前記凹部が形成された金属製の本体部と、前記本体部の屋内側に配置されると共に、前記本体部と同一形状に形成され、中央が前記本体部の前記凹部に接着され、両端部が弾性変形されることで前記凹部の内側に略収容された前記弾性部材と、を備えている。
【００１１】
第３の態様に係る外壁目地の防水構造では、第２防水部材が、同一形状に形成された矩形板状の本体部と弾性部材を配置させる簡易な構成とされている。この構成によれば、第２防水部材は、弾性部材の中央を本体部に接着し、本体部に固定されない両端部を中央側へ弾性変形させる。これにより、組み付け後の状態で、本体部の中央に形成された凹部の内側に弾性部材が略収容される。このように、簡単な構成で第２防水部材を形成することにより施工コストを抑えつつ第１防水部材の止水性能を向上させることが可能とされる。
【００１２】
第４の態様に係る防水部材の施工方法は、第１の態様〜第３の態様の何れか１態様に記載の外壁目地の防水構造に適用される防水部材の施工方法であって、前記第２防水部材における前記外壁目地の延在方向と略直交する方向の一方側の端部が前記外壁目地を構成する一方の前記外壁パネルと前記ビス頭との隙間を通って前記第１防水部材と一方の前記外壁パネルとの隙間に挿入される第１工程と、前記第２防水部材における前記外壁目地の延在方向と略直交する方向の他方側の端部が前記外壁目地を構成する他方の前記外壁パネルと前記ビス頭との隙間を通って前記第１防水部材と他方の前記外壁パネルとの隙間に挿入される第２工程と、を含んでいる。
【００１３】
第４の態様に係る防水部材の施工方法では、隣接して配置され、外壁目地を構成する各々の外壁パネルとビス頭との隙間に第２防水部材における前記外壁目地の延在方向と略直交する方向の両端部がそれぞれ挿入されることにより第２防水部材が組み付けられる。これにより、第２防水部材は、外壁目地における既存の構成を利用して、簡単な方法で組み付けが可能とされる。
【００１４】
第５の態様に係る防水部材の施工方法は、前記第１工程及び前記第２工程により、前記第２防水部材における前記外壁目地の延在方向と略直交する方向の両端部が前記外壁パネルと前記第１防水部材との間に挿入され、該第２防水部材の屋内側面に配設された前記弾性部材における前記外壁目地の延在方向と略直交する方向の両端部が前記外壁パネルと前記第１防水部材との間に挿入されずに前記第１防水部材との間に発生する摩擦力により弾性変形され、前記第２防水部材の前記凹部の内側へ略収容されることを特徴としている。
【００１５】
第５の態様に係る防水部材の施工方法では、第４の態様に記載の第１工程及び第２工程により、第２防水部材における前記外壁目地の延在方向と略直交する方向の両端部が外壁パネルと第１防水部材との間に挿入される。このとき、第２防水部材の屋内側面に配設された弾性部材における前記外壁目地の延在方向と略直交する方向の両端部が外壁パネルと第１防水部材との間に挿入されずに第１防水部材との間に発生する摩擦力により弾性変形され、第２防水部材の凹部の内側へ略収容される。このように、シート状の第１防水部材と第２防水部材の屋内側面に配置された弾性部材との摩擦力を利用して、簡単な方法でビス頭を弾性部材で覆うことが可能となる。これにより、施工現場における作業負担を軽減しつつ、第１防水部材の止水性能を向上させることができる。
【発明の効果】
【００１６】
以上説明したように、第１の態様に係る外壁目地の防水構造によれば、ビス頭と第１防水部材の貫通孔との間を弾性部材によって止水し、第１防水部材の止水性能を向上させることができるという優れた効果を有する。
【００１７】
第２の態様に係る外壁目地の防水構造によれば、第１防水部材と第２防水部材の弾性部材間で互いに作用する弾性復元力により、第１防水部材と弾性部材との隙間を一層密な状態とし、第１防水部材の止水性能を一層向上させることができるという優れた効果を有する。
【００１８】
第３の態様に係る外壁目地の防水構造によれば、同一の矩形板状に形成された本体部と弾性部材とを対向して配置させるという簡易な構成で第２防水部材を形成し、施工コストを抑えつつ第１防水部材の止水性能を向上させることができるという優れた効果を有する。
【００１９】
第４の態様に係る防水部材の施工方法によれば、外壁目地の内側に固定ビスが取り付けられる既存の構成を利用して、簡単な方法で第２防水部材を組み付けることができるという優れた効果を奏する。
【００２０】
第５の態様に係る防水部材の施工方法によれば、シート状の第１防水部材と第２防水部との間に発生する摩擦力を利用して、簡単な方法で第１防水部材の止水性能を向上させることができるという優れた効果を奏する。
【図面の簡単な説明】
【００２１】
【図１】（Ａ）〜（Ｃ）は第１実施形態に係る外壁目地の防水構造の要部を示しており、第２防水部材を外壁目地に装着する際の作業工程を示す工程図である。
【図２】第１実施形態に係る第２防水部材の組み付け前の状態を示す平断面図である。
【図３】図４の３−３線に沿って切断した状態を示す拡大断面図である。
【図４】第１実施形態に係る外壁目地の防水構造が適用された建物を示す全体斜視図である。
【図５】外壁目地から浸水が起こる現象を説明するための説明図である。
【図６】第２実施形態に係る外壁目地の防水構造の要部を示す図１に対応する工程図である。
【発明を実施するための形態】
【００２２】
〔第１実施形態〕
以下、図１〜図５を用いて、本発明に係る外壁目地の防水構造の第１実施形態について説明する。
【００２３】
本実施形態の外壁目地の防水構造は、建物１０の二階部分に形成されたインナバルコニー２８の出隅部１６Ａに適用されている。まず、建物１０について説明する。
【００２４】
図４に示されるように、建物１０は、所謂ユニット建物である。建物１０は、基礎１２上に複数個の下階側（一階部分１４）の建物ユニット１８を据え付けた後に、当該下階側の建物ユニット１８上に複数個の上階側（二階部分１６）の建物ユニット２０を据え付けることにより構成されている。各建物ユニット１８、２０は、４本の柱２２と、それぞれの柱２２の上端部に接合された矩形枠状の天井大梁２４と、それぞれの柱２２の下端部に接合された矩形枠状の床大梁２６と、によって躯体フレームとされている。
【００２５】
建物１０の二階部分１６の正面側には、インナバルコニー２８が設けられている。インナバルコニー２８は、二階部分を構成する建物ユニット２０の内部に形成されている。詳細には、建物ユニット２０の長手方向に面した一方側（建物１０の正面側）の側面に形成された略矩形状の開口部３０と、開口部３０の幅方向両側に配置された側壁部３２と、開口部３０の高さ方向上方側に配置された垂れ壁３４と、を備えている。また、開口部３０の下半分は、手すり部３６で覆われている。上記構成により、インナバルコニー２８の側壁部３２は、建物１０の居室空間とインナバルコニー２８とを連通させる出入口３７に対して屋外側に張り出した構造とされており、二階部分１６における出隅部１６Ａを構成している。
【００２６】
図３には、インナバルコニー２８の側壁部３２を図４の３−３線で切断した状態の断面図が示されている。この図に示されるように、側壁部３２高さ方向中間部から下端部において、屋外側の端部の意匠面には、建物ユニット２０の柱２２を囲むように外側コーナパネル４０及び内側コーナパネル４２からなる外壁パネル３８が配置されている。外側コーナパネル４０は、建物１０の高さ方向に立設し、柱２２の右側面２２Ａに平行に配置された右側壁４０Ａと柱２２の正面２２Ｂに平行に配置された外前壁４０Ｂによってアングル状に形成されている。
【００２７】
また、内側コーナパネル４２は、建物１０の高さ方向に立設し、柱２２の左側面２２Ｃに平行に配置された左側壁４２Ａと柱２２の正面２２Ｂに平行に配置された内前壁４２Ｂによってアングル状に形成されている。
【００２８】
このように、側壁部３２の屋外側の端部では、外側コーナパネル４０と内側コーナパネル４２とが左右に隣接する部位に建物高さ方向に延在する外壁目地４４が形成されている。以下、外壁目地４４の防水構造について詳細に説明する。
【００２９】
なお、図３に二点鎖線で示されるように、側壁部３２の上端側では、柱２２の建物正面側で、外側コーナパネル４０と垂れ壁３４で形成された外壁目地が形成されている。
【００３０】
図３に示されるように、外壁目地４４の屋外側には一次止水部４６が設けられおり、外壁目地４４の屋内側には二次止水部４８が設けられている。一次止水部４６は、弾性材料（本実施形態では、ＥＰＤＭ等のゴム）によって形成された長尺状のガスケット４７によって構成されている。
【００３１】
一方、二次止水部４８は、外壁パネル３８と外壁パネル３８を支持するフレーム５０との間に設けられている。フレーム５０は、外側コーナパネル４０を屋内側から支持する外側フレーム５２と、内側コーナパネル４２を屋内側から支持する内側フレーム５４と、外側フレーム５２と内側フレーム５４の間の継ぎ目を屋内側から覆う継ぎ位置フレーム５６と、を備えている。
【００３２】
外側フレーム５２は、板金により形成され、建物１０の高さ方向に延在すると共に外側コーナパネル４０と図示しない締結部材によって締結されている。また、外側フレーム５２は、外側コーナパネル４０の角部に対応してアングル状に形成されている。詳細には、外側フレーム５２は、外側コーナパネル４０の右側壁４０Ａに平行に配置された右側面部５２Ａと、外前壁４０Ｂに平行に配置された外前面部５２Ｂを備えている。この外前面部５２Ｂの水平方向の寸法は、外前壁４０Ｂの水平方向の寸法より長く設定されている。このため、外前面部５２Ｂは、外壁目地４４を屋内側から覆うように配置されている。
【００３３】
内側フレーム５４は、板金により形成され、建物１０の高さ方向に延在すると共に内側コーナパネル４２と図示しない締結部材によって締結されている。また、内側フレーム５４は、内側コーナパネル４２の角部に対応してアングル状に形成されている。詳細には、内側フレーム５４は、内側コーナパネル４２の左側壁４２Ａに平行に配置された左側面部５４Ａと、内前壁４２Ｂに平行に配置された内前面部５４Ｂを備えている。この内前面部５４Ｂの水平方向の寸法は、内前壁４２Ｂの水平方向の寸法より短く設定されている。
【００３４】
上記構成により、外側フレーム５２と内側フレーム５４を組み付けた状態では、外側フレーム５２と内側フレーム５４との間のフレーム目地５８が内側コーナパネル４２の内前壁４２Ｂの屋内側に配置される。そして、当該フレーム目地５８にシリコン樹脂系の接着剤６０（例えばＰＭ１００等）が塗布されている。
【００３５】
また、継ぎ位置フレーム５６は、長尺状に形成された板金で構成され、建物１０の高さ方向に延在している。この継ぎ位置フレーム５６は、内側コーナパネル４２と図示しない締結部材によって締結されており、外側フレーム５２と内側フレーム５４の屋内側に配置されると共に外壁目地４４とフレーム目地５８とを屋内側から覆うように配置されている。これにより、外壁目地４４の屋内側では、外側コーナパネル４０を支持する外側フレーム５２と、内側コーナパネル４２を支持する継ぎ位置フレーム５６とが重ね合わされている。
【００３６】
また、柱２２の正面２２Ｂ、外側フレーム５２、継ぎ位置フレーム５６には、外壁目地４４に沿って複数の下穴（符号省略）がそれぞれ形成され、同軸的に配置されている。この下穴に対して、外壁パネル３８の屋外側から固定ビスとしてのタッピングビス６２が取り付けられて、外壁パネル３８が柱２２に固定されている。なお、フレーム５０（継ぎ位置フレーム５６の屋内側面）と柱２２との間には所定の板厚を有する合板６４が適宜配置されており、合板６４をフレーム５０と共に共締めして柱２２へ固定することにより、タッピングビス６２の固定部が補強されている。
【００３７】
一方、二次止水部４８は、外壁パネル３８とフレーム５０との間に設けられた防水シート６６と、タッピングビス６２のビス頭６２Ａを屋外側から覆うビス頭防水部材６８と、によって構成されている。なお、防水シート６６が本発明における「第１防水部材」に相当し、ビス頭防水部材６８が「第２防水部材」に相当する。
【００３８】
防水シート６６は、建物１０の高さ方向に延在する長尺なシート材料とされ、一例として弾性体（本実施形態では、ＥＰＤＭ等のゴム）によって形成されている。防水シート６６は、外壁目地４４を屋内側から覆うように外壁パネル３８とフレーム５０との間に設けられており、上述したタッピングビス６２によって、フレーム５０、合板６４と共に柱２２に固定されている。これにより、外壁パネル３８とフレーム５０との間の隙間が止水されている。
【００３９】
ビス頭防水部材６８は、鋼板で形成された本体部７０と、板状のブチルゴムで形成された弾性部材７２により構成されている。ここで、図２には、外壁目地４４に組み付けられる前の状態のビス頭防水部材６８を水平方向に沿って切断した断面が示されている。また、図１（Ｃ）には、外壁目地４４に組み付けられた後の状態のビス頭防水部材６８を水平方向に沿って切断した断面が示されている。
【００４０】
図２に示されるように、ビス頭防水部材６８は、装着前の状態において、平板状の本体部７０と、本体部７０より屋内側で平行に配置された平板状の弾性部材７２によって構成されている。本体部７０と弾性部材７２は、略同一の寸法及び形状を有しており、略矩形板状に形成されている。また、本体部７０と弾性部材７２は、正面視で外壁目地４４の延在方向と略直交する方向を長手方向として配置されている。なお、本体部７０及び弾性部材７２の長手方向の寸法Ｌは、２０．０ｍｍ程度に設定されることが好ましい。また、本体部７０の板厚ｔ１は０．３５ｍｍ程度とされることが好ましく、弾性部材７２の板厚ｔ２は０．５０ｍｍ〜１．０ｍｍ程度に設定されることが好ましい。
【００４１】
弾性部材７２は、長手方向の中央部７２Ａが接着剤層７３によって本体部７０に接着されており、長手方向の両側の端部７２Ｂは本体部７０に固定されていない。なお、接着剤層７３の水平方向に沿った寸法ｔ３は１０．０ｍｍ程度に設定されることが好ましく、端部７２Ｂの水平方向に沿った寸法ｔ４は５．０ｍｍ程度に設定されることが好ましい。
【００４２】
ビス頭防水部材６８の装着は、以下の要領で行われる。まず、予め建物ユニット２０の柱２２に、外壁目地４４に跨って配置される各部材を工場で固定して現場に搬入する。具体的には、外側コーナパネル４０、外側フレーム５２、継ぎ位置フレーム５６、合板６４、防水シート６６を柱２２に予め固定する。次に、外側フレーム５２の端部に接着剤６０を塗布し、内側コーナパネル４２が固定された内側フレーム５４の端部を接着剤６０に沿って配置し、フレーム目地５８を形成する。その後、内側コーナパネル４２と継ぎ位置フレーム５６を固定して外壁目地４４を形成する。
【００４３】
次に、図１（Ａ）に示されるように、ビス頭防水部材６８を、その本体部７０が屋外側に配置される向きにして、長手方向の一端をビス頭６２Ａと外側コーナパネル４０との隙間７４に臨ませる（第１工程）。この時、弾性部材７２に対して剛性の高い鋼板からなる本体部７０は、一端部７０Ａが外側コーナパネル４０と防水シート６６の間に挿入される。一方、弾性部材７２の端部７２Ｂは防水シート６６との間に発生する摩擦力により、弾性変形しながらビス頭６２Ａ側に留まる（図１（Ｂ）参照）。
【００４４】
次に、同様の要領でビス頭防水部材６８の長手方向の他端をビス頭６２Ａと内側コーナパネル４２との隙間７４に臨ませる（第２工程）。これにより、図１（Ｃ）に示されるように、本体部７０の他端部７０Ｂが内側コーナパネル４２と防水シート６６の間に挿入される。また、本体部７０の中央部には、平面視で屋内側に開放された略Ｕ字状の凹部７６が形成される。そして、当該凹部７６が外壁目地４４の内側に挿入される。この段階では、弾性部材７２は、長手方向両側の端部７２Ｂがビス頭６２Ａ側に留まり、ビス頭６２Ａと共に凹部７６の内側に収容されている。これにより、ビス頭６２Ａが弾性部材によって屋外側から被覆されている。
【００４５】
（作用・効果）
次に、本実施形態の作用並びに効果について説明する。
図５に示されるように、外壁パネル３８とフレーム５０との間に防水シート６６を設ける場合、タッピングビス６２が取り付けられる部位では、タッピングビス６２が防水シート６６を貫通している。このため、ガスケット４７が経年劣化等により破損すると、雨水７８が外壁目地４４から侵入し、防水シート６６の下穴（符号省略）を通って屋内側へ浸水する。なお、図５において、防水シートを通って屋内側へ浸水した雨水を符号「８０」で示す。
【００４６】
しかし、本実施形態に係る外壁目地の防水構造では、タッピングビス６２のビス頭６２Ａより屋外側に、当該ビス頭を被覆するビス頭防水部材６８が配置されている。具体的には、ビス頭防水部材６８を構成する本体部７０は、長手方向の一端部７０Ａ及び他端部７０Ｂがビス頭６２Ａの左右両側で外壁パネル３８と防水シート６６の間に挿入されている。このようにしてビス頭防水部材６８を組み付けた後の状態では、本体部７０の中央部に屋外側に突出した凹部７６が形成され、凹部７６が外壁目地４４の内側に挿入されている。この凹部７６の内側には弾性部材７２が収容されており、ビス頭６２Ａを屋外側から被覆している。これにより、ビス頭６２Ａと防水シート６６の下穴（符号省略）との間が弾性部材７２によって止水され、外壁目地４４からの浸水を抑制することができる。
【００４７】
また、本実施形態では、防水シート６６及びビス頭防水部材６８の弾性部材７２が弾性体で形成されている。また、弾性部材７２は、防水シート６６との間に発生する摩擦力により弾性変形されているため、防水シート６６と弾性部材７２との間に弾性復元力が作用している。このため、互いの弾性復元力により防水シート６６と弾性部材７２との接触面が一層密になり、防水シート６６の止水性能をより一層向上させることができる。
【００４８】
また、本実施形態では、ビス頭防水部材６８が、同一寸法に形成された矩形板状の本体部７０と弾性部材７２とを並べて配置し、長手方向の中央部を接着固定させるという簡易な構成とされている。このため、施工コストを抑えつつ外壁目地４４からの浸水を抑制することができる。
【００４９】
また、本実施形態によれば、ビス頭防水部材６８は、その長手方向一方側の端部を外側コーナパネル４０とビス頭６２Ａとの隙間７４に挿入する。次いで、ビス頭防水部材６８の長手方向他方側の端部を内側コーナパネル４２とビス頭６２Ａとの隙間に挿入することにより組み付けが完了する。このように、ビス頭防水部材６８は、外壁目地４４の内側に固定ビス６２が取り付けられるという既存の構成を利用して、簡単な方法で組み付けることができる。
【００５０】
さらに、本実施形態によれば、ビス頭防水部材６８の長手方向の両端部をビス頭６２Ａと外壁パネル３８との隙間７４に挿入することにより、本体部７０の長手方向の両端部７０Ａ，７０Ｂが外壁パネル３８と防水シート６６の間に挿入される。このとき、ビス頭防水部材６８の屋内側面に配設された弾性部材７２の長手方向の両端部７２Ａ，７２Ｂが外壁パネル３８と防水シート６６との間に挿入されずに防水シート６６との間に発生する摩擦力により弾性変形され、本体部７０の凹部７６の内側へ収容される。このように、防水シート６６とビス頭防水部材６８の弾性部材７２との摩擦力を利用して、簡単な方法でビス頭６２Ａを弾性部材７２で覆うことができる。これにより、施工現場における作業負担を軽減しつつ、防水シート６６の止水を向上させることができる。
【００５１】
〔第２実施形態〕
以下、図６を用いて、本発明に係る外壁目地の防水構造の第２実施形態について説明する。なお、前述した第１実施形態と同一構成部分については、同一番号を付してその説明を省略する。
【００５２】
図６（Ａ）〜（Ｃ）に示されるように、この第２実施形態に係る外壁目地の防水構造では、ビス頭防水部材８２の本体部８４の屋外側面に一対の突起８６が設けられている点に特徴がある。一対の突起８６は、本体部８４の長手方向の中央部に間隔を空けて設けられており、正面視でビス頭６２Ａの左右両側に設けられた外壁パネル３８との間の隙間７４と重なる位置に配置されている。突起８６は、本体部８４を水平方向に沿った断面視で屋外側に凸をなす略三角形状に形成されており、本体部８４の高さ方向に沿って連続的に形成されている。なお、突起８６は、本体部８４の高さ方向に沿って不連続（例えば破線状）に形成されていてもよい。
【００５３】
（作用・効果）
上記構成のビス頭防水部材８２は、基本的には第１実施形態のビス頭防水部材６８の構成を踏襲しているため、同様の作用及び効果を得ることができる。また、本実施形態では、以下に説明するように、ビス頭防水部材８２を装着する際の部材の位置決めが容易になる。
【００５４】
本実施形態のビス頭防水部材８２を装着する場合には、上述した第１実施形態と同様に、まず、予め建物ユニット２０の柱２２に、外壁目地４４に跨って配置される各部材を工場で固定して現場に搬入する。具体的には、外側コーナパネル４０、外側フレーム５２、継ぎ位置フレーム５６、合板６４、防水シート６６を柱２２に予め固定する。
【００５５】
次に、図６（Ａ）に示されるように、ビス頭防水部材８２の一端を外側コーナパネル４０とビス頭６２Ａとの隙間７４に臨ませて、本体部８４に設けられた一対の突起８６の一方側に係止される位置まで本体部８４の一端部８４Ａを挿入する。その後、図６（Ｂ）、図６（Ｃ）に示されるように、外側コーナパネル４０に隣接して内側コーナパネル４２の組み付けを行う際に、他方側の突起８６を基準に内側コーナパネル４２の組み付け位置の位置決めをし、本体部８４の他端部８４Ｂを屋外側から覆うように内側コーナパネル４２を取り付けることができる。
【００５６】
このように、本実施形態では、隣接して配置される外側コーナパネル４０と内側コーナパネル４２の組み付位置を本体部８４の一対の突起８６を基準に判断することができ、外壁パネル３８の組み付け作業が容易になる。なお、ビス頭防水部材８２は、第１実施形態のビス頭防水部材６８と同様の要領で取り付けることも可能である。
【００５７】
[補足説明]
上記各実施形態では、ビス頭防水部材６８、８２の本体部７０、８４が鋼板製とされたが、他の金属材料により形成されてもよく、樹脂材料で形成されてもよい。つまり、弾性部材７２と比べて、剛性の高い材料で形成されていればよい。
【００５８】
また、上記各実施形態では、ビス頭防水部材６８、８２の弾性部材７２がブチルゴムで形成される構成としたが、これに限らず天然ゴム製でもよく、ＥＰＤＭ等の合成ゴムで形成してもよい。
【００５９】
また、上記各実施形態の外壁目地の防水構造は、インナバルコニー２８の出隅部１６Ａに適用したが、これに限らず、アルコーブやガレージの出隅部に適用してもよい。
【００６０】
また、上記各実施形態の外壁目地の防水構造は、建物１０の出隅部１６Ａに限らず、建物の入隅や、平面部に配置される外壁に形成される外壁目地に適用してもよい。
【００６１】
また、上記各実施形態では、外壁パネル３８を支持するフレーム５０が建物ユニット２０の柱２２に固定される構成としたが、本発明はこれに限らず、フレーム５０が天井大梁２４や床大梁２６に固定されてもよい。また、上記各実施形態の外壁目地の防水構造は、ユニット建物に限らず、鉄骨軸組工法で建築された建物に適用してもよい。
【符号の説明】
【００６２】
１０  建物（ユニット建物）
１６Ａ出隅部
３８  外壁パネル
４４  外壁目地
５０  フレーム
６２  タッピングビス（固定ビス）
６２Ａビス頭
６６  防水シート（第１防水部材）
６８  ビス頭防水部材（第２防水部材）
７０  本体部
７２  弾性部材
７６  凹部
８２  ビス頭防水部材（第２防水部材）
８４  本体部
【図１】
2020084646.tif 000003
【図２】
2020084646.tif 000004
【図３】
2020084646.tif 000005
【図４】
2020084646.tif 000006
【図５】
2020084646.tif 000007
【図６】
2020084646.tif 000008